(57)【要約】【課題】開口部を周方向複数箇所に有する合成樹脂製のフィルタ枠に、周方向１箇所の接合部で接合された円筒状のフィルタメッシュがモールド結合されて成り、電磁式燃料噴射弁が有する燃料入口筒内に挿入、固定される燃料フィルタにおいて、燃料の流通抵抗を極力小さくしつつフィルタメッシュの接合部も確実に補強する。【解決手段】フィルタ枠４３が、円筒部４３ａと、円筒部４３ａから軸方向に間隔をあけて配置された円盤状の端壁部４３ｂと、円筒部４３ａの一端部および端壁部４３ｂ間を結ぶとともに相互間に開口部４５，４６を形成する第１および第２連結枠部４３ｃ，４３ｄとを一体に有し、フィルタメッシュ４４の接合部が埋封、支持される第１連結枠部４３ｃが、第１連結枠部４３ｃに対向する位置に配置される第２連結枠部４３ｄよりも円筒部４３ａの周方向に沿う幅が大きくなるように形成される。【選択図】        図２
2014092063.tif 000002
【特許請求の範囲】
【請求項１】
燃料流通用の開口部（４５，４６）を周方向複数箇所に有する合成樹脂製のフィルタ枠（４３）に、周方向１箇所の接合部（４４ａ）で接合されて円筒状に丸められるフィルタメッシュ（４４）が、その周方向複数箇所を前記開口部（４５，４６）に臨ませるようにしてモールド結合されて成り、電磁式燃料噴射弁（Ｖ）が有する燃料入口筒（２０）内に挿入、固定される燃料フィルタにおいて、前記フィルタ枠（４３）が、円筒部（４３ａ）と、該円筒部（４３ａ）から軸方向に間隔をあけて配置された円盤状の端壁部（４３ｂ）と、前記円筒部（４３ａ）の一端部および前記端壁部（４３ｂ）間を結ぶとともに相互間に前記開口部（４５，４６）を形成する第１および第２連結枠部（４３ｃ，４３ｄ）とを一体に有し、前記フィルタメッシュ（４４）の接合部（４４ａ）が埋封、支持される第１連結枠部（４３ｃ）が、第１連結枠部（４３ｃ）に対向する位置に配置される第２連結枠部（４３ｄ）よりも前記円筒部（４３ａ）の周方向に沿う幅が大きくなるように形成されることを特徴とする燃料フィルタ。
【発明の詳細な説明】
【技術分野】
【０００１】
本発明は、燃料流通用の開口部を周方向複数箇所に有する合成樹脂製のフィルタ枠に、周方向１箇所の接合部で接合されて円筒状に丸められるフィルタメッシュが、その周方向複数箇所を前記開口部に臨ませるようにしてモールド結合されて成り、電磁式燃料噴射弁が有する燃料入口筒内に挿入、固定される燃料フィルタに関する。
【背景技術】
【０００２】
周方向３箇所に開口部が配置されるフィルタ枠に、フィルタメッシュがモールド結合される燃料フィルタが、たとえば特許文献１で既に知られている。
【先行技術文献】
【特許文献】
【０００３】
【特許文献１】特開平０８−３１２４９４号公報
【発明の開示】
【発明が解決しようとする課題】
【０００４】
ところで燃料フィルタを流通する燃料の流通抵抗は小さく抑えたいと言う要望があり、フィルタ枠の周方向複数箇所に配置される開口部の開口面積は極力大きくしたい。一方、フィルタメッシュの周方向複数箇所は開口部の周方向両側でフィルタ枠に支持されるものであり、特にフィルタメッシュの接合部は、フィルタ枠で補強してフィルタメッシュの支持強度も確保しておきたいので開口部の開口面積を単純に広げることもできない。
【０００５】
本発明は、かかる事情に鑑みてなされたものであり、燃料の流通抵抗を極力小さくしつつフィルタメッシュの接合部も確実に補強し得るようにした燃料フィルタを提供することを目的とする。
【課題を解決するための手段】
【０００６】
上記目的を達成するために、本発明は、燃料流通用の開口部を周方向複数箇所に有する合成樹脂製のフィルタ枠に、周方向１箇所の接合部で接合されて円筒状に丸められるフィルタメッシュが、その周方向複数箇所を前記開口部に臨ませるようにしてモールド結合されて成り、電磁式燃料噴射弁が有する燃料入口筒内に挿入、固定される燃料フィルタにおいて、前記フィルタ枠が、円筒部と、該円筒部から軸方向に間隔をあけて配置された円盤状の端壁部と、前記円筒部および前記端壁部間を結ぶとともに相互間に前記開口部を形成する第１および第２連結枠部とを一体に有し、前記フィルタメッシュの接合部が埋封、支持される第１連結枠部は、第１連結枠部に対向する位置に配置される第２連結枠部よりも前記円筒部の周方向に沿う幅が大きくなるように形成されることを特徴とする。
【発明の効果】
【０００７】
本発明の上記構成によれば、燃料流通用の開口部は、第１および第２連結枠部相互間の２箇所に形成されることになり、開口部の開口面積を大きくして燃料の流通抵抗を小さく抑えることができる。しかもフィルタメッシュの接合部が埋封、支持される第１連結枠部が、第２連結枠部よりも幅広に形成されるので、第１連結枠部によるフィルタメッシュの接合部の補強効果を高め、フィルタメッシュの接合部を確実に補強することができる。
【図面の簡単な説明】
【０００８】
【図１】電磁式燃料噴射弁の縦断面図である。
【図２】図１の２−２線断面図である。
【図３】図２の３ー３線断面図である。
【図４】図３の４−４線断面図である。
【発明を実施するための形態】
【０００９】
以下、本発明の実施の形態について添付の図１〜図４を参照しながら説明すると、先ず図１において、エンジンＥのシリンダヘッド１１には、燃焼室１２に開口する装着孔１３が設けられ、この装着孔１３に、前記燃焼室１２に燃料を噴射するための電磁式燃料噴射弁Ｖが装着される。
【００１０】
前記電磁式燃料噴射弁Ｖの弁ハウジング１４は、金属製である円筒状の弁ハウジング主体１５と、この弁ハウジング主体１５の一端部に嵌合して溶接される有底円筒状の弁座部材１６と、前記弁ハウジング主体１５がその他端に有する大径部１５ａの外周に一端部が嵌合して溶接される磁性円筒体１７と、該磁性円筒体１７の他端に一端が同軸に結合される非磁性円筒体１８とで構成される。前記非磁性円筒体１８の他端には円筒状である固定コア１９の一端が同軸に結合され、該固定コア１９の他端には燃料入口筒２０が同軸にかつ一体に連設される。
【００１１】
前記磁性円筒体１７の軸方向中間部には半径方向外方に張り出すフランジ部１７ａが一体に形成されており、このフランジ部１７ａが、前記シリンダヘッド１１の外面への前記装着孔１３の開口端部に設けられて外方に臨む環状段部１３ａにクッション材２１を介して支承される。一方、前記燃料入口筒２０の他端部には、前記シリンダヘッド１１に固定される燃料分配管２２が環状のシール部材２３を介して嵌装されており、この燃料分配管２２および前記固定コア１９間に弾性保持部材２４が介装され、電磁式燃料噴射弁Ｖはシリンダヘッド１１および弾発保持部材２４間に挟持されることになる。
【００１２】
前記弁座部材１６には、テーパ状の弁座２６と、該弁座２６の中心近傍に開口する複数の燃料噴孔２７とが設けられる。また前記弁座２６に着座して前記燃料噴孔２７を閉鎖し得る球状の弁体２８が前記弁座部材１６内に摺動可能に収容されており、この弁体２８は、前記弁ハウジング１４内に同軸に収容される弁軸２９の一端に結合され、前記弁体２８の外周には燃料の通過を許容する複数の平坦面２８ａが形成される。前記弁軸２９の他端寄りには、前記固定コア１９の一端に対向するとともに前記磁性円筒体１７に摺動可能に嵌合される可動コア３０が嵌合、固着される。
【００１３】
前記可動コア３０には、前記固定コア１９側に突出するようにして非磁性材料から成るカラー３１が埋設されており、このカラー３１が固定コア１９に当接することで弁体２８および弁軸２９の開弁ストロークが規定される。
【００１４】
可動コア３０には、固定コア１９内を弁ハウジング１４内に連通させる複数の連通孔４７が設けられる。また固定コア１９の他端部内には、パイプ状のリテーナ３２が圧入されており、このリテーナ３２および前記可動コア３０間にコイル状の弁ばね３３が縮設され、該弁ばね３３が発揮するばね力によって弁体２８および弁軸２９は弁体２８が弁座２６に着座する側に付勢される。
【００１５】
前記磁性円筒体１７の他端部から前記固定コア１９に至る外周面にはボビン３４が嵌合され、該ボビン３４とともにコイル組立体３６を構成するコイル３５が前記ボビン３４に嵌装される。前記コイル組立体３６は、コイルハウジング３７に収容されており、該コイルハウジング３７の一端部は前記磁性円筒体１７のフランジ部１７ａに当接して溶接される。
【００１６】
前記コイルハウジング３７の他端部外周には環状のアンカ溝３８が形成され、前記固定コア１９の外周には複数条の環状溝３９が形成されており、アンカ溝３８を含む前記コイルハウジング３７の他端部から前記環状溝３９を含む固定コア１９の他端部に至る部分は合成樹脂から成る被覆層４０で覆われる。この被覆層４０には、前記コイル３５に連なる端子４１を保持するカプラ４０ａが一側方に突出するようにして一体に形成される。
【００１７】
図２〜図４を併せて参照して、前記燃料入口筒２０内には燃料フィルタ４２が挿入、固定され、該燃料フィルタ４２は、燃料流通用の開口部４５，４６を周方向２箇所に有する合成樹脂製のフィルタ枠４３に、フィルタメッシュ４４が、その周方向２箇所を前記開口部４５，４６に臨ませるようにしてモールド結合されて成る。
【００１８】
前記フィルタ枠４３は、前記燃料入口筒２０内に圧入される円筒部４３ａと、該円筒部４３ａから軸方向に間隔をあけて配置された円盤状の端壁部４３ｂと、前記円筒部４３ａの一端部および前記端壁部４３ｂ間を結ぶとともに相互間に前記開口部４５，４６を形成する第１および第２連結枠部４３ｃ，４３ｄとを一体に有する。
【００１９】
また前記フィルタ枠４３は、前記円筒部４３ａの他端から半径方向外方に張り出すフランジ部４３ｅを一体に有しており、このフランジ部４３ｅを前記燃料入口筒２０の他端に当接させるまで前記円筒部４３ａが前記燃料入口筒２０内に圧入される。
【００２０】
また前記円筒部４３ａおよび前記フランジ部４３ｅには、金属製の補強部材４８がモールド結合される。この補強部材４８は、前記円筒部４３ａの外形に対応した内径を有する円筒状の補強部材主部４８ａと、前記円筒部４８ａ内に食い込むようにして前記補強部材主部４８ａの一端から半径方向内方に張り出す内向き鍔部４８ｂと、前記フランジ部４３ｅに一部が埋封されるようにして前記補強部材主部４８ａの他端から半径方向外方に張り出す外向き鍔部４８ｃとを一体に有し、前記フィルタ枠４３における前記フランジ部４３ｅの内周および前記円筒部４３ａの周方向複数箇所たとえば４箇所には、前記補強部材４８の一部を臨ませる肉抜き部４７が形成される。
【００２１】
ところで前記円筒部４３ａの外径よりも前記端壁部４３ｂの外径は小さく設定されており、燃料フィルタ４２は、前記燃料入口筒２０の内周との間の間隔が広くなるようにして前記リテーナ３２側に近づくにつれて小径となるように形成される。
【００２２】
前記フィルタメッシュ４４は、周方向１箇所の接合部４４ａでの突き合わせ溶接で接合されて円筒状に丸められるものであり、前記接合部４４ａが第１連結枠部４３ｃに埋封、支持されるようにして、前記フィルタ枠４３における前記円筒部４３ａ、前記端壁部４３ｂ、第１連結枠部４３ｃおよび第２連結枠部４３ｄにモールド結合される。
【００２３】
しかもフィルタメッシュ４４の接合部４４ａが埋封、支持される第１連結枠部４３ｃと、第２連結枠部４３ｄとは、相互に対向する位置に配置されるものであり、第１連結枠部４３ｃが、第２連結枠部４３ｄよりも前記円筒部４３ａの周方向に沿う幅が大きくなるように形成される。すなわち前記円筒部４３ａの周方向に沿う第１連結枠部４３ｃの幅Ｗ１は、前記円筒部４３ａの周方向に沿う第２連結枠部４３ｄの幅Ｗ２よりも大きく設定される。
【００２４】
次にこの実施の形態の作用について説明すると、電磁式燃料噴射弁Ｖの燃料入口筒２０に挿入、固定される燃料フィルタ４２は、合成樹脂製のフィルタ枠４３に、周方向１箇所の接合部４４ａで接合されて円筒状に丸められるフィルタメッシュ４４がモールド結合されて成るものであり、前記フィルタ枠４３が、円筒部４３ａと、該円筒部４３ａから軸方向に間隔をあけて配置された円盤状の端壁部４３ｂと、前記円筒部４３ａの一端部および前記端壁部４３ｂ間を結ぶとともに相互間に開口部４５，４６を形成する第１および第２連結枠部４３ｃ，４３ｄとを一体に有するので、燃料流通用の開口部４５，４６は、第１および第２連結枠部４３ｃ，４３ｄ相互間の２箇所に形成されることになり、開口部４５，４６の開口面積を大きくして燃料の流通抵抗を小さく抑えることができる。
【００２５】
しかもフィルタメッシュ４４の接合部４４ａが埋封、支持される第１連結枠部４３ｃが、第１連結枠部４３ｃに対向する位置に配置される第２連結枠部４３ｄよりも前記円筒部４３ａの周方向に沿う幅が大きくなるように形成されるので、第１連結枠部４３ｃによるフィルタメッシュ４４の接合部４４ａの補強効果を高め、フィルタメッシュ４４の接合部４４ａを確実に補強することができる。
【００２６】
以上、本発明の実施の形態について説明したが、本発明は上記実施の形態に限定されるものではなく、特許請求の範囲に記載された本発明を逸脱することなく種々の設計変更を行うことが可能である。
【符号の説明】
【００２７】
２０・・・燃料入口筒
４２・・・燃料フィルタ
４３・・・フィルタ枠
４３ａ・・・円筒部
４３ｂ・・・端壁部
４３ｃ・・・第１連結枠部
４３ｄ・・・第２連結枠部
４４・・・フィルタメッシュ
４４ａ・・・接合部
４５，４６・・・開口部
Ｖ・・・電磁式燃料噴射弁
【図１】
2014092063.tif 000003
【図２】
2014092063.tif 000004
【図３】
2014092063.tif 000005
【図４】
2014092063.tif 000006